(57)【要約】      （修正有）【課題】特に個人情報の保護を図りながらチャットで商談が可能であって、その後に見積もりを行って複数の業者から一つの業者を選定することのできる見積もりシステム並びにチャット問合わせシステムを提供する。【解決手段】運営者プログラムと業者プログラムとユーザプログラムを備えたアプリケーションサーバ２と、ログイン管理用のラディウスサーバ４と、運営者情報データとユーザ情報データを備えて、ユーザの提供する問い合わせに対して見積もり情報を回答可能なシステムであって、複数の業者から見積もりを受けながら、一つの業者を選択して、他の業者からの問い合わせを遮断する。【選択図】図１
2015215764.tif 000002
【特許請求の範囲】
【請求項１】
運営者プログラムと業者プログラムとユーザプログラムを備えたアプリケーションサーバと、ログイン管理用のラディウスサーバと、運営者情報データとユーザ情報データを備えてユーザの提供する問い合わせに対して見積もり情報を回答可能なシステムであって、複数の業者から見積もりを受けながら、一つの業者を選択して、他の業者からの問い合わせを遮断することができるチャット見積もりシステム。
【請求項２】
選択された業者にのみ電話番号や電子メールが伝達されて非選択業者には伝達されない請求項１記載の見積もりシステム。
【請求項３】
ユーザの問い合わせや業者の提案に対して、既読情報がユーザ又は業者に信号として伝達される請求項１記載の見積もりシステム。
【請求項４】
運営者プログラムと業者プログラムとユーザプログラムを備えたアプリケーションサーバと、ログイン管理用のラディウスサーバと、運営者情報データとユーザ情報データを備えてユーザの提供する問い合わせに対して回答情報を回答可能なシステムであって、複数の業者から回答を受けながら、一つの業者を選択して、他の業者からの回答を遮断することができるチャット問合わせシステム。
【請求項５】
選択された業者にのみ電話番号や電子メールが伝達されて非選択業者には伝達されない請求項４記載のチャット問合わせシステム。
【請求項６】
ユーザの問い合わせや業者の提案に対して、既読情報がユーザ又は業者に信号として伝達される請求項４記載のチャット問合わせシステム。
【発明の詳細な説明】
【技術分野】
【０００１】
チャットを利用した見積もりシステム係り、特に個人情報の保護を図りながらチャットで商談が可能であって、その後に見積もりを行って複数の業者から一つの業者を選定することのできるチャット見積もりシステム並びにチャット問合わせシステムに関する。
【背景技術】
【０００２】
インターネットの普及に伴い、複数の業者にインターネット上で見積もりの依頼を行うことで容易に相見積もりを行うことができるようになった。
【０００３】
例えば、特許文献１では、「見積もり依頼者に対して設けられた第１のコンピュータと、見積もり業者に対して設けられた第２のコンピュータと、見積もりデータを提供する第３のコンピュータと、からなり、前記第３のコンピュータは、前記見積もり依頼者からの依頼データに対して識別子を発行する識別子発行手段と、前記依頼データに対する見積もり依頼を第２のコンピュータに送付する手段と、前記第２のコンピュータから見積もりを受信し、その見積もりに対する依頼者の識別子を第１のコンピュータに送付する手段と、第１のコンピュータから送付された識別子に基づいて、前記見積もりデータを第１のコンピュータに送付する手段と、を備えることを特徴とする」見積もりシステムが提案されている。
【先行技術文献】
【特許文献】
【０００４】
【特許文献１】特開２００１−３４４４６１号公報
【発明の概要】
【発明が解決しようとする課題】
【０００５】
ところで、特許文献１では、個人情報を最終的に選定された業者以外に渡すことを避けるために、商談を業者の選択後に一社のみに限定する仕組みが提案されている。しかしながら、商談そのものの業者を選定した後に行う場合、商談中に交渉決裂となった場合に、再度業者選定をやり直すため極めて効率が悪いこととなっている。
【０００６】
一方、インターネット上で良く行われる一斉見積もりを行うと、次から次へと業者から電話や電子メールが送付されてしまいその対応に追われて見積もり依頼者は煩わしいこととなる。また、業者に断わる場合も一社づつ断わるため選定業者以外に対しては断わり続けなければならない。
【０００７】
さらに、断わった場合も個人情報は業者の手元に残るため、後に再度問い合わせがなされたり、第三者への個人情報の漏えいの可能性も生じる。
【０００８】
そこで、本発明では、特に個人情報の保護を図りながらチャットで商談が可能であって、その後に見積もりを行って複数の業者から一つの業者を選定することのできる見積もりシステム並びにチャット問合わせシステムを提供することを目的とする。
【課題を解決するための手段】
【０００９】
前記の課題を解決するために、本発明に係る見積もりシステムは、運営者プログラムと業者プログラムとユーザプログラムを備えたアプリケーションサーバと、ログイン管理用のラディウスサーバと、運営者情報データとユーザ情報データを備えてユーザの提供する問い合わせに対して見積もり情報を回答可能なシステムであって、複数の業者から見積もりを受けながら、一つの業者を選択して、他の業者からの問い合わせを遮断することができる。選択された業者にのみ電話番号や電子メールが伝達されて非選択業者には伝達されない。ユーザの問い合わせや業者の提案に対して、既読情報がユーザ又は業者に信号として伝達される。
【発明の効果】
【００１０】
本発明に係る見積もりシステム並びにチャット問合わせシステムにより、個人情報の保護を図りながらチャットで商談が可能であって、その後に見積もりを行って複数の業者から一つの業者を選定することができる。
【図面の簡単な説明】
【００１１】
【図１】本発明に係る見積もりシステム並びにチャット問合わせシステムの第１の実施例におけるブロック図である。
【図２】本発明に係る見積もりシステム並びにチャット問合わせシステムの第１の実施例におけるフローチャートである。
【図３】本発明に係る見積もりシステム並びにチャット問合わせシステムの第１の実施例におけるフローチャートである。
【図４】本発明に係る見積もりシステム並びにチャット問合わせシステムの第１の実施例における表示画面である。
【図５】本発明に係る見積もりシステム並びにチャット問合わせシステムの第１の実施例における表示画面である。
【図６】本発明に係る見積もりシステム並びにチャット問合わせシステムの第１の実施例における表示画面である。
【図７】本発明に係る見積もりシステム並びにチャット問合わせシステムの第１の実施例における表示画面である。
【図８】本発明に係る見積もりシステム並びにチャット問合わせシステムの第１の実施例における表示画面である。
【図９】本発明に係る見積もりシステム並びにチャット問合わせシステムの第１の実施例における表示画面である。
【図１０】本発明に係る見積もりシステム並びにチャット問合わせシステムの第１の実施例における表示画面である。
【図１１】本発明に係る見積もりシステム並びにチャット問合わせシステムの第１の実施例における表示画面である。
【図１２】本発明に係る見積もりシステム並びにチャット問合わせシステムの第１の実施例における表示画面である。
【図１３】本発明に係る見積もりシステム並びにチャット問合わせシステムの第１の実施例における表示画面である。
【図１４】本発明に係る見積もりシステム並びにチャット問合わせシステムの第１の実施例における表示画面である。
【図１５】本発明に係る見積もりシステム並びにチャット問合わせシステムの第１の実施例における表示画面である。
【図１６】本発明に係る見積もりシステム並びにチャット問合わせシステムの第１の実施例における表示画面である。
【発明を実施するための形態】
【００１２】
以下に詳細に本発明に係る見積もりシステム並びにチャット問合わせシステムについて説明する。
【００１３】
（実施例）
実施例では、図１乃至図１６を用いて本発明に係るシステムについて説明する。図１に本発明に係る見積もりシステムの第１の実施例におけるブロック図を示す。本システムは、引越しを依頼するユーザと、引越しを受託する引越し業者である運営者が使用するシステムであって、引越し業者が見積もりを提案するシステムである。
【００１４】
本発明に係る見積もりシステム並びにチャット問合わせシステム１は、見積もりシステム１の本体プログラムが搭載されるアプリケーションサーバ２と、アプリケーションサーバ２と連結されて認証機能を有するラディウスサーバ４と、アプリケーションサーバ２に連結されてアプリケーションサーバ２に搭載されるプログラムに関連するデータを格納するメモリ６と、ラディウスサーバ４と連結されるインターネット等から構成されるネットワーク１２と、ネットワーク１２に連結されてサービスを提供する運営者が操作するための運営者端末１４と、同じくネットワーク１２に連結されて運営者の提供するサービスを享受するユーザが操作するためのユーザ端末１６と、ユーザにサービスを提供する業者の端末である業者端末１７とから構成される。なお、ここで、ユーザ端末１６と業者端末１７は便宜上一台としているが、実際は複数の台数が接続可能である。
【００１５】
このうち、アプリケーションサーバ２は、運営者ページを制御する運営者プログラム８と、ユーザページを制御するユーザプログラム１０と、業者プログラム１１が格納される。図示しない中央演算素子とメモリ素子とインターフェース部とを備え、メモリ素子に格納される運営者プログラム８とユーザプログラム１０と業者プログラム１１とが中央演算素子と協働してインターフェース部を介して動作する。
【００１６】
メモリ６には、運営者端末１４とユーザ端末１６とからアクセスする利用者のＩＤ情報とパスワード情報であるＩＤ情報データ１８と、運営者端末１４を利用する運営者の所在地、名称、サービス内容からなる運営者プロフィールデータ２０と、ユーザ端末１６を利用するユーザの引越しに関する情報であるユーザ情報データ２２と、運営者がユーザ情報データ２２に基づき決定する簡易見積情報データ２４と、業務委託を行う場合にユーザが依頼先のみに開示するユーザ現住所データ２６と、ユーザ端末１６から入力されたユーザ会話履歴データ２８と、ユーザが業務委託を申し込む場合の申込内容を格納するユーザ申込情報データ３０と、ユーザが簡易見積もりの募集時刻の締切時間が格納されるユーザ締切情報データ３２と、各社の提案データを格納する各社提案データ３４と、運営者の個別情報を格納する運営者個別データ３６と、運営者の会話情報を格納する運営者会話履歴データ３８と、業者端末１７を利用する業者の所在地、名称、サービス内容からなる業者プロフィールデータ４０と、業者の個別情報を格納する業者個別データ４２と、業者の会話情報を格納する業者会話履歴データ４４と、が格納される。
【００１７】
続いて、図２、図３に示すフローチャートと、図４から図１６までの表示画面を用いて本発明に係る見積もりシステム並びにチャット問合わせシステム１の動作について説明する。
【００１８】
（ログインＣ２、Ａ２、Ｄ２）
予め運営者としてＩＤ情報データ１８に格納される運営者のために、アプリケーションサーバ２が運営者プログラム８に従って図４に示すログイン画面５０を運営者端末１４に表示させる（Ｃ２）。
【００１９】
予めユーザとしてＩＤ情報データ１８に格納されるユーザのために、アプリケーションサーバ２がユーザプログラム１０に従って図４に示すログイン画面５０をユーザ端末１６に表示させる（Ａ２）。
【００２０】
予めユーザとしてＩＤ情報データ１８に格納されるユーザのために、アプリケーションサーバ２がユーザプログラム１０に従って図4に示すログイン画面５０をユーザ端末１６に表示させる（Ｄ２）。
【００２１】
運営者が運営端末１４に正しいＩＤとパスワードを入力してログインボタン５２が選択されると、ラディウスサーバ４がＩＤ情報データ１８と対比して判定して運営者端末１４を認証してログインを許諾する。
【００２２】
同様にユーザがユーザ端末１６に正しいＩＤとパスワードを入力してログインボタン５２が選択されると、ラディウスサーバ４がＩＤ情報データ１８と対比して判定してユーザ端末１６を認証してログインを許諾する。
【００２３】
（プロフィール入力Ｃ４、Ｄ４）
運営者がプロフィール設定の入力を行っていない場合、アプリケーションサーバ２が運営者プログラム８に従って図５に示すプロフィール設定画面５４を表示させる。プロフィール設定画面５４には、進捗状況コラム５６、提案中一覧コラム５８、設定コラム６０、提案履歴ボタン６２、対応中ボタン６４、契約成立ボタン６６、ＮＧボタン６８、ＣＳＶダウンロードボタン７０、設定ページボタン７２が表示される。
【００２４】
進捗状況コラム５６は、当月のユーザの応募数である当月応募数と、ユーザに対して見積もりを提案した案件数である提案中件数と、提案後に引越し受注となった締結数と、提案後に引越し失注となったＮＧ数とが掲示される。これらは運営者個別データ３６に格納されてアプリケーションサーバ２が運営者プログラム８に従ってメモリ６から読みだして表示する。
【００２５】
提案中一覧コラム５８は、提案チャット内容と更新ボタンが表示される。提案チャット内容は、提案日時と募集時刻までの残り時間と提案チャット本文内容が表示される。通常は最大で３件の提案チャット内容が表示される。一方、更新ボタンを選択すると最新３件の提案チャット内容が表示されるように更新される。これらは、運営者会話履歴データ３８に格納されて、アプリケーションサーバ２が運営者プログラム８に従ってメモリ６から読みだして表示する。
【００２６】
設定コラム６０は、プロフィール設定コラム７４と、対応地域コラム７６と、初回自動定型文コラム７８とが表示される。
【００２７】
プロフィール設定コラム７４は、会社名枠と、メールアドレス枠と、パスワード変更リンクと、住所枠と、電話番号枠と、ＦＡＸ番号枠と、自己紹介枠と、メール通知設定ラジオボタンとが表示される。運営者は運営者端末１４に表示されたプロフィール設定コラムに、データが入力されていない場合にそれぞれの枠に適切なデータを入力する。また、データの内容に誤りがある場合に修正したデータを入力する（Ｃ４）。
【００２８】
業者のプロフィール入力も運営者プロフィール同様に入力する必要がある。
【００２９】
対応地域コラム７６は、全国の都道府県名とその脇にチェックボックスが配置され、運営者が引越しの受先と送り先として対応可能な都道府県名にチェックできるように設けられる。
【００３０】
（データ格納Ｂ２（運営者））
初回自動定型文コラム７８は、応募があった際に回答するための初回回答チャット案文である。図５には開示しないが、設定ボタンが設けられ、全てのコラムに入力後に選択することで、これらは、運営者個別データ３６に格納されて、アプリケーションサーバ２が運営者プログラム８に従ってメモリ６から読みだして表示し、メモリ６に格納する（Ｂ２）。
【００３１】
（申し込み内容入力Ａ４）
一方、ユーザは本発明のシステムを用いて引越し依頼のオファーを行って、見積もりを請求する為に本システムに登録する。ユーザによるユーザ端末１６への申し込み内容入力について図１０を用いて説明する（Ａ４）。
【００３２】
（データ格納Ｂ２（ユーザ））
申込内容確認画面８０には、提案締切時間表示枠８２と、申し込み内容確認ボタン８４と各社最新提案状況枠８６と、申し込み内容の確認枠８８と、簡単見積もり枠９０と、現住所の情報枠９２とが掲載されている。
【００３３】
提案締切時間表示枠８２は、提案締切時間を表示する枠であり、提案締切時間は、ユーザが簡易見積もりを登録する際に運営者と交渉する時間の終了時間の目標値として本システムに入力するものである。実際は、アプリケーションサーバ２がユーザプログラム１０に従って、ユーザの入力した提案締切時間をユーザ締切情報データ３２として格納し、さらに現在の時刻と提案締切時間との差の時間を算出し、順次、提案締切時間表示枠に表示する。
【００３４】
申し込み内容確認ボタン８４は、このボタンを選択すると申込内容確認画面を表示する。アプリケーションサーバ２がユーザプログラム１０に従ってメモリ６から読みだして表示する。
【００３５】
各社最新提案状況枠８６は、運営者がチャットで提案してきた内容を運営者毎に表示する枠である。提案日時と運営者名と提案チャット本文が表示される。アプリケーションサーバ２がユーザプログラム１０に従ってメモリ６から読みだして表示する。
【００３６】
申し込み内容の確認枠８８は、氏名枠、提案締切枠、生年月日枠、電話番号枠、メールアドレス枠、連絡の付きやすい時間帯枠、その他ご要望枠、お見積り方法枠、お祝いキャンペーン情報枠、引越し祝い金オプション枠とが掲載される。氏名枠はユーザの氏名を入力する為の枠である。提案締切枠は、引越業者である運営側と商談をする時間の期限を入力するための枠である。年月日、時刻を入力する。生年月日枠は、ユーザの生年月日を入力する枠である。電話番号枠は、ユーザの電話番号を入力するための枠である。ユーザの電話番号は営業活動で重要な情報となるため、契約前には運営者には伝えない。メールアドレス枠は、ユーザのメールアドレスを入力する枠である。ユーザのメールアドレスも営業活動で重要な情報となるため、契約前には業者には伝えない。連絡の付きやすい時間帯枠は、ユーザに電話連絡する際に都合がよくかつ連絡の取れる時間帯を入力する枠である。その他ご要望枠は、ユーザが他の枠では入力できない項目や伝言を入力するための枠である。お見積り方法枠は、ユーザが希望する見積もり方式を指定して入力するための枠である。チャットでの入力や、郵送、メール等を指定する。お祝いキャンペーン情報枠は、プレゼントキャンペーンや御祝い品等の情報をメールやチャットで受領するか否かの指定を入力する枠である。引越し祝い金オプション枠は、引越し祝い金オプションの有無を表示する枠である。メールアドレスと電話番号を含む申し込み内容の確認枠の情報は運営者には伝達しない。メールアドレスと電話番号を含むユーザの情報は、ユーザ情報データ２２に格納される。
【００３７】
簡単見積もり枠９０は、運営者に見積もりを依頼するに際して、ユーザ情報データ２２のうちユーザの個人情報の中で重要なメールアドレスと電話番号を提供することのない、引越し見積もりのための最小限の情報を入力するための枠である。これらの情報は運営側に公開される情報である。簡単見積もり枠は、間取り枠と、移動距離枠と、引越し希望日枠である。間取り枠は、間取りを入力するための枠である。１ＬＤＫ，２Ｋ等の情報を入力する。荷物の容量を決める条件である。作業員数やトラックの大きさ数量を決める条件となる。移動距離枠は、荷物を輸送する距離を入力する枠である。トラックや作業員の拘束時間と燃料費を決める条件のとなる。引越し希望日枠は、休日か平日なのか、曜日の希望があるのか等スケジュール決定の条件となる。
【００３８】
現住所の情報枠９２は、住所枠と、間取り枠と、住居タイプ枠とが存在する。住所枠は、ユーザの住所を入力する枠である。引越の起点となる重要な情報である。間取り枠は、正確な間取りを入力するための枠である。しかし、間取りもまた住居を特定する個人情報となりうる。住居タイプ枠は、マンションや戸建ての別を入力する枠である。引越方法を決定する重要な情報である。
【００３９】
この他、申し込みボタンが図示されないが用意され、申し込みボタンが選択されると上記枠に入力された情報が確定される。ユーザは、これらの枠に入力が無い場合と、これらの枠に入力された値が誤っている場合に、正しい値を入力する（Ａ４）。
【００４０】
正しい値がユーザによってユーザ端末１６から入力されると、メールアドレスと電話番号を含む申し込み内容の確認枠はユーザ申込情報データ３０、簡単見積もり枠は簡易見積情報データ２４に、現住所の情報枠はユーザ現住所データ２６に格納されて、アプリケーションサーバ２がユーザプログラム１０に従ってメモリ６から読みだして表示し、メモリ６に格納する（Ｂ２）。
【００４１】
（締切時間入力Ａ６）
提案締切時間表示枠８２で締切日程の変更ボタンを選択すると締切変更の設定画面が表示される。設定画面は、現在の設定日時表示と選択枠と変更するボタンが配置されている。現在の設定日時表示は、現在の設定に基づいた年月日と時刻とが表示されている。そこで、選択枠において、年、月、日、時、分について、引越しの日時から逆算して業者決定の日時を自ら決定することができる。ここで、締切時間を年、月、日、時、分について入力する（Ａ６）。
【００４２】
（締切時間算出Ｂ４）
アプリケーションサーバ２がユーザプログラム１０に従って入力された締切時間の年、月、日、時、分と現在の年、月、日、時、分とから残り時間を減算で算出する（Ｂ４）。ここで、算出された残り時間は、提案締切時間表示枠で表示できるように配置される。
【００４３】
（申込内容表示Ｂ６）
データ格納Ｂ２で格納されたデータは、ユーザの申し込み内容の確認枠で入力された情報を除いて公開される（Ｂ６）。
【００４４】
（ユーザ一覧表表示指示：Ｃ６)
図示されないユーザ一覧表示ボタンを選択する。ユーザ一覧表示ボタンの選択により、ユーザ一覧表示の信号がアプリケーションサーバ２に送信される（Ｃ６）。
【００４５】
（ユーザ一覧表示：Ｂ８）
図６に示すように、アプリケーションサーバ２が現在引越し依頼を行っているユーザの最新メッセージデータを用いてユーザ一覧表データ１００が生成される（Ｂ８）。ここでは、日付、時刻、氏名、最新メッセージが掲載され、見積もりがなされている場合、只今の見積もり金額が掲載される。
【００４６】
（ユーザ選択：Ｃ８）
ユーザ一覧表から運営者がそのなかの一ユーザを選択してユーザ名をクリックすると、ユーザ選択情報がアプリケーションサーバ２に送信される（Ｃ８）。
【００４７】
（申込内容表示：Ｂ１０)
アプリケーションサーバ２は、運営者プログラム８に従って、選択したユーザのユーザ情報データ２２と、簡易見積もり情報データ２４と、ユーザ現住所データ２６を読み込んで、運営者端末１４の画面にユーザの情報と簡単見積もりと現住所の情報を表示させる（Ｂ１０）。図７に示すようにユーザの情報として、氏名と締切り日時と、連絡の付きやすい時間帯と、その他のご要望を表示する。また、簡易見積もりは、間取りと、移動距離と、引越希望日とが記載される。また、現住所の情報として、住所と、間取りと、住居タイプと、建物の階数と、エレベータの有無と、オートロックの有無と、建物に面した道路の幅とが開示される。
（チャット入力：Ｃ１０、Ｄ１０）
アプリケーションサーバ２は、運営者プログラム８に従って、ユーザが前記入力した現住所と引越しの移動距離から、図５に示す対応地域を算出する。例えば、図７では、住所は「東京都渋谷区南平台町３−１３新堀ビル３Ｆ」であり、移動距離は「５ｋｍ以下」である。このため、対応地域は「東京」となる。すると、アプリケーションサーバ２は、運営者プログラム８に従って、対応地域に「東京」を選択指定した業者を抽出する。例えば、図５では、対応地域東京に選択されたことを意味する選択ボックスにレ点が入力されていることから「タダで運ぶゾウ「運営側」」は抽出対象となる。
抽出対象が決定されると、アプリケーションサーバ２は、運営者プログラム８に従って、予め登録されている初回自動定型文データを、ユーザ会話履歴データ２８へ送信する（Ｃ１０、Ｄ１０）。すると、初回自動定型文データがユーザ会話履歴データ２８に格納される。
（チャット通知Ｂ１４）
初回自動定型文データがユーザ会話履歴データ２８に格納されると、ユーザアカウント宛てに格納された旨が記載されたチャット通知のメールが伝達される（Ｂ１４）。このメール到着後、ユーザはユーザ画面よりチャットを開始することができる。
伝達された初回自動定型文データは、ユーザが読んだか否かは図８に示す会話履歴のように、初回自動定型文と送信業者名と既読の有無と既読時間により確認できる。ここ締切時間枠に締切までの時間が表示される（Ｂ１６）。
【００４８】
（チャット画面開始後、）チャット画面は、図８、９のごとく、氏名枠１０２と、文章入力枠１０４と、会話履歴枠１０６と、進捗状況コラム１０８と、提案中一覧コラム１１０と、提案履歴ボタン１１２と、対応中ボタン１１４と、契約成立ボタン１１６と、ＮＧボタン１１８と、ＣＳＶダウンロードボタン１２０と、設定ページボタン１２２とが掲載される。
【００４９】
氏名枠には、ユーザ氏名と、提案締切時間表示枠と、お荷物情報閲覧ボタンと、ステータス表示ボタンと、設定ボタンと、見積もり金額枠と更新ボタンが掲載される。ユーザ氏名は本ページを開示する主体であるユーザ氏名である。
【００５０】
提案締切時間表示枠は、このユーザが設定した提案締切時間までの残時間を秒きざみで表示する。
【００５１】
お荷物情報閲覧ボタンは、図７に示すユーザの情報が開示され、見積もり金額決定のためのデータが表示される。
【００５２】
ステータス表示ボタンは、対応中と契約成立とＮＧとが設けられ、ユーザと引越しの提案について提案前や提案中である場合は対応中であり、ユーザのデータは対応中フォルダに格納される。業者がステータスを確認してステータスを選択した後に設定ボタンを選択することで、ステータスが確定する。
【００５３】
契約成立は、ユーザに選択された業者がユーザとサービスと見積もり金額で合意を得た場合である。ユーザのデータは契約成立フォルダに格納される。
【００５４】
ＮＧは、ユーザに選択されなかった業者であり、ユーザのデータはＮＧに格納される。
【００５５】
文章入力枠は、チャット文章を入力する枠であって、特に定型で定まっている文章でなくとも良い。文章入力後に、更新＆送信ボタンを選択することで、文章が更新される。
【００５６】
会話履歴枠は、この枠には、業者による入力文データと、ユーザによる入力文データを時系列で配列した枠である。アプリケーションサーバ２がユーザ会話履歴データ２８と業者会話履歴データ４４とからデータを抽出して枠内に表示する。
【００５７】
進捗状況コラムと、提案中一覧コラムと、提案履歴ボタンと、対応中ボタンと、契約成立ボタンと、ＮＧボタンと、ＣＳＶダウンロードボタンと、設定ページボタンは、上記同名のコラムと同様である。
【００５８】
（見積額入力Ｄ１２）
見積もり金額枠は、ユーザの情報を確認して業者が入力して提案するための枠である。枠に提案金額を入力して、更新ボタンを選択することで更新される（Ｄ１２）。アプリケーションサーバ２が見積もり金額を、業者会話履歴データ４４に格納する。
【００５９】
（見積額通知Ｂ１８）
アプリケーションサーバ２は、業者から入力された見積額を業者会話履歴データ４４に格納し、ユーザにおける各社提案状況枠（図１１）および、会社別の会話履歴（図１３）に表示させる（Ｂ１８）。
【００６０】
（提案一覧表示指示Ａ８）
ユーザが、ユーザ端末１６において、各社最新提案状況枠において各社最新提案状況ボタンを選択すると提案一覧表示指示が発信される（Ａ８）。アプリケーションサーバ２は、ユーザプログラム１０に従って、提案一覧表示指示信号が発信される。
【００６１】
（提案一覧表示Ｂ２０)
提案一覧表示指示信号が発信されると、アプリケーションサーバ２は、ユーザプログラム１０に従って、各社最新提案状況枠が表示される（Ｂ２０）。
【００６２】
各社最新提案状況枠は、投稿日時と、業者名と、見積もり金額と、直近に更新されたチャット文章データが表示される。ここで、登録されている全業者について表示される。ここで、これらの各社最新提案状況は、業者のチャットの更新順又は見積もり金額の安い順序のいずれか選択した順序で並べられる。
【００６３】
(業者選択Ａ１０)
ユーザは、各社最新提案状況枠から、見積もり金額またはチャットの内容から任意の業者を選択し、各社最新提案状況枠の業者名を選択する（Ａ１０）。アプリケーションサーバ２は、ユーザプログラム１０に従って、各社最新提案状況枠の業者名を選択すると選択信号が発信される。
【００６４】
（会話履歴表示Ｂ２２）
各社最新提案状況枠の業者名を選択すると選択信号が発信されると、会話履歴（図１３）を示す。
【００６５】
会話履歴には、業者名枠と、会話枠と、会話履歴枠と、提案締切まで枠と、申し込み内容のご確認ボタンと、各社最新提案状況枠とが掲載される（Ｂ２２）。
【００６６】
業者名枠は、業者名と、只今の見積もり枠と、ココに決めるボタンと、この業者とのチャットを遮断するボタンとから構成される。
【００６７】
業者名は、ユーザが選択して表示させた業者名である。
【００６８】
只今の見積もり枠は、Ｄ１２で入力した見積額である。
【００６９】
ココに決めるボタンは、ユーザがこの業者に納得した場合に選択するボタンである。このボタンを選択すると、現在表示している業者のみ選択が可能となる。逆にそれらを除いた業者に対しては、全ての接続を遮断することとなる。
【００７０】
会話枠は、この業者とチャットを行うための枠であり、文章を入力して後に、更新＆送信ボタンを選択することで文章を入力することができる。
【００７１】
会話履歴枠は、ユーザと業者の会話データが掲載され、入力日時と、入力者名と、会話内容が表示される。
【００７２】
提案締切まで枠は、アプリケーションサーバ２が、（Ｂ４）で入力した締切時間までの残時間を表示する。
【００７３】
申し込み内容のご確認ボタンは、本ボタンを選択することで図１０に示す申込内容の確認ページが開かれる。
【００７４】
（見積額表示Ａ１２)
各社最新提案状況枠を表示することで、只今の見積もり枠で見積額表示がなされる（Ａ１２）。アプリケーションサーバ２が、業者会話履歴データ４４から見積額を抽出する。
【００７５】
（チャット入力Ａ１４）
ユーザは、業者の提案した見積額とチャット内容に対して、更なる値引き交渉や、打ち合わせ申し込み、個別の条件について対応の可能性などの問い合わせなどのテキストデータを会話枠に入力することができる（Ａ１４）。アプリケーションサーバ２は、ユーザプログラム１０に従って、入力されたテキストデータをユーザ会話履歴データ２８に格納する。
【００７６】
（チャット通知Ｂ２４，Ｄ１４）
テキストデータがユーザ会話履歴データ２８に格納されると、宛先の業者の会話履歴のページである図９に示される会話履歴に新たなテキストデータが表示され、会話履歴枠のフレーム色が未読に対応する色に変化して（Ｄ１４）新たなチャットの発生が通知される（Ｂ２４）。また、同時にアプリケーションサーバ２が、業者宛てにメール文章データを生成して、業者宛てに送信する。メール文章データは、宛先の他に業者会話履歴データ４４の掲載されたｗｅｂページのアドレスが掲載される。本メールの配信により、テキストデータの入力が確認される。
このメールのアドレスをクリックして会話履歴にアクセスし、会話履歴を業者が読めば、未読状態から既読状態に代わりその記録が業者会話履歴データ４４に格納される。
アプリケーションサーバ２が、業者プログラム１１に従って、ユーザ会話履歴データ２８から読みだして、業者会話履歴データ４４に格納する。業者はユーザのチャット入力の有無を、入力時のメールで確認することができる。
【００７７】
（ユーザ選択Ｄ１６、会話履歴表示Ｄ１８）
業者は、提案中一覧枠のユーザ名を選択して（Ｄ１６）、ユーザの会話履歴である図９で示す会話履歴画面を表示することでユーザの入力したテキストデータを閲覧する（Ｄ１８）。アプリケーションサーバ２が、業者プログラム１１に従って、業者端末１７の指示に基づき業者会話履歴データ４４から読み出してテキストデータを表示する。また、テキストデータは、チャットの会話者の名前と、会話日時と、チャット相手方が既に読んだか未読なのかを示す既読データと、チャットの内容が格納されており、ＣＳＶデータとしてダウンロードも可能に構成される。
【００７８】
（既読通知Ｂ２６，Ａ１６）
業者がユーザの会話履歴を業者端末１７でユーザの会話履歴を閲覧すると、ユーザ側の業者との会話履歴のフレームの枠を既読を示す色に変化させる（Ｂ２６）。アプリケーションサーバ２が、ユーザプログラム１０に従って、会話履歴データに記録された既読、未読の状態を読み取り、会話履歴のフレームの枠を既読を示す色に変化させる。さらに、相手方の会話履歴のフレーム内に、「既読」の文字が表示される。
【００７９】
（プロフィール表示選択指示Ａ１８）
ここで、ユーザが業者を検討する為に、図１３における業者名枠に設けられる「業者のプロフィールを確認する」ボタンを選択する（Ａ１８）。アプリケーションサーバ２が、ユーザプログラム１０に従って「業者のプロフィールを確認する」ボタンの選択信号を受け付ける。
【００８０】
（プロフィール表示Ｂ２８)
「業者のプロフィールを確認する」ボタンの選択により、ユーザ端末１６に業者プロフィール（図１４）が表示される（Ｂ２８）。業者プロフィールは、業者商標、会社名、住所、電話番号、ＦＡＸ番号、対応エリア、自己紹介とが掲載される。アプリケーションサーバ２が、ユーザプログラム１０に従って業者プロフィールデータ４２にアクセスしてユーザ端末１６に表示させる。
（個別公開ボタン選択Ａ２０）
ここで、ユーザは業者が信用でき、電話等で相談したい場合は、図１３に「業者のプロフィールを確認する」ボタンの下にある個別公開ボタン「この業者に連絡先を公開する」ボタンを選択する（Ａ２０）。個別公開ボタン「この業者に連絡先を公開する」ボタンが選択されると、ユーザプログラム１０に従ってユーザ端末１６からアプリケーションサーバ２へ選択信号が送信される。選択信号には、ユーザ情報と選択された業者情報が含まれる。
（個別公開Ｂ３０）
アプリケーションサーバ２は、選択信号を受信すると、選択信号に含まれるユーザ情報に基づいてユーザ情報データ２２のうちユーザの個人情報の中で重要なメールアドレスと電話番号を抽出する。アプリケーションサーバ２は、抽出したメールアドレスと電話番号を選択された業者の業者会話履歴データ４４に格納して、図８に示すように掲載する（Ｂ３０）。
【００８１】
（決定ボタン選択Ａ２２）
業者プロフィールの確認が完了して、他の業者の検討も終了した後に、選択したい業者について図１３における業者名枠に設けられる「ココに決める」ボタンを選択する（Ａ２２）。アプリケーションサーバ２が、ユーザプログラム１０に従って、「ココに決める」ボタンの信号を受信する。
【００８２】
（決定通知（情報）Ｂ３２）
アプリケーションサーバ２が、ユーザプログラム１０に従って、「ココに決める」ボタンの信号を受信すると、「『ユーザ名』さんが御社を選びました。」とのメッセージを選択された業者の業者会話履歴データ４４に格納して、図１５に示すように掲載する（Ｂ３２）。また、提案締切までの時間表記が「００：００：００」と記載される。さらに、選択された業者に対して、選択された内容をアプリケーションサーバ２が、ユーザプログラム１０に従って、通知する。この通知の際に、選択された業者にはユーザ申込情報データ３０のうちメールアドレスと電話番号が伝達される。
（遮断通知Ｂ３４）
一方、アプリケーションサーバ２が、ユーザプログラム１０に従って、「ココに決める」ボタンの信号を受信すると、「見積もり期限は終了致しました。」とのメッセージを選択された業者の業者会話履歴データ４４に格納して、図１６に示すように掲載する（Ｂ３４）。
【００８３】
一方、非選択者には同時に遮断通知も伝達される（Ｂ３４）。非選択の業者には、図１６で示すように「見積もり期限は終了致しました。」との記載が会話履歴画面の上に表示される。また、提案締切までの時間表記が「００：００：００」と記載される。ユーザ申込情報データ３０のうちメールアドレスと電話番号が伝達されない。
【００８４】
このように設定されることで、ユーザは業者を決定した場合に他社へ断わりの連絡を取る必要が無い。さらに、他の業者は連絡先が分からないため、ユーザに対して業者決定後に他の業者からの問い合わせがくることもないのである。
【００８５】
なお、引越し業者が決定した後に、運営側が、本システムを利用してユーザと、警備会社の選択や、インターネット、電話会社の選択に用いることもできる。さらには、相見積もりを行うケースとして、あらゆる全ての物販と生命保険の加入や自動車の購入その他に適用が可能である。
【００８６】
以上本発明の好適な実施例について図面により説明したが、当業者であれば、上記の図面および説明に基づいて種々の変形をすることが可能であることはもちろんである。
【符号の説明】
【００８７】
１  見積もりシステム
２  アプリケーションサーバ
４  ラディウスサーバ
６  メモリ
８  運営者プログラム
１０  ユーザプログラム
１１  業者プログラム
１２  ネットワーク
１４  運営者端末
１６  ユーザ端末
１７  業者端末
１８  ＩＤ情報データ
２０  運営者プロフィールデータ
２２  ユーザ情報データ
２４  簡易見積情報データ
２６  ユーザ現住所データ
２８  ユーザ会話履歴データ
３０  ユーザ申込情報データ
３２  ユーザ締切情報データ
３４  各社提案データ
３６  運営者個別データ
３８  運営者会話履歴データ
４０  業者プロフィールデータ
４２  業者個別データ
４４  業者会話履歴データ
５０  ログイン画面
５２  ログインボタン
５４  プロフィール設定画面
【図１】
2015215764.tif 000003
【図２】
2015215764.tif 000004
【図３】
2015215764.tif 000005
【図４】
2015215764.tif 000006
【図５】
2015215764.tif 000007
【図６】
2015215764.tif 000008
【図７】
2015215764.tif 000009
【図８】
2015215764.tif 000010
【図９】
2015215764.tif 000011
【図１０】
2015215764.tif 000012
【図１１】
2015215764.tif 000013
【図１２】
2015215764.tif 000014
【図１３】
2015215764.tif 000015
【図１４】
2015215764.tif 000016
【図１５】
2015215764.tif 000017
【図１６】
2015215764.tif 000018